(57)【要約】【課題】    オアダイオードの出力側の信号を用いることなく、また、負荷への出力電圧を高くせずに、簡単な構成でオアダイオードの故障を検出する。【解決手段】      本発明の電源装置は、入力電圧の電圧を変換し、安定化して出力する電圧変換安定化手段と、出力の電流と装置の外部から流れ込む逆流電流とを検出する電流検出手段と、出力を他の電源装置の出力とオア接続する素子と、電圧変換安定化手段を制御しながら、電流検出手段での電流を検出し、その検出に応じて素子の故障を検出する制御部とを含む。【選択図】      図２
2014060897.tif 000002
【特許請求の範囲】
【請求項１】
入力電圧の電圧を変換し、安定化して出力する電圧変換安定化手段と、
前記出力の電流と装置の外部から流れ込む逆流電流とを検出する電流検出手段と、
前記出力を他の電源装置の出力とオア接続する素子と、
前記電圧変換安定化手段を制御しながら、前記電流検出手段での電流を検出し、その検出に応じて前記素子の故障を検出する制御部と
を含む電源装置。
【請求項２】
前記制御部は、
前記電圧変換安定化手段に電圧を下げる指示の後、
前記電流検出手段が前記逆流電流を検出したときに、
前記素子が故障と判定する
請求項１に記載の電源装置。
【請求項３】
前記制御部は、
前記電圧変換安定化手段に電圧を下げる指示の後で、
前記電流検出手段が電流を検出しない状態を検出後、
前記電圧変換安定化手段にさらに電圧を下げるように指示し、
前記電圧がさらに下がった状態で前記電流検出手段が前記逆流電流を検出しないときに、
前記素子が正常と判断する
請求項１又は請求項２に記載の電源装置。
【請求項４】
前記制御部は、
前記電圧変換安定化手段に電圧を下げる指示の後、
前記電流検出手段が電流の減少を検出しないとき、
前記電圧安定化手段を故障と判定する
請求項１乃至請求項３のいずれか１項に記載の電源装置。
【請求項５】
前記逆流電流が発生した場合に、前記逆流電流が前記電圧安定化手段に流れ込まないように接地線に逃がす保護抵抗手段と、
を含む請求項１乃至請求項４のいずれか１項に記載の電源装置。
【請求項６】
前記他の電源装置と出力電流をバランスするための電流バランス信号の前記電圧変換安定化手段への接続を切り換える第１のスイッチと、
前記電流検出手段と前記保護抵抗の接続を切り換える第２のスイッチと
を更に含み、
前記制御部が、
前記第１のスイッチ、前記第２のスイッチを制御する
請求項５に記載の電源装置。
【請求項７】
前記制御部は、
前記第１のスイッチを開放し、前記第２のスイッチを閉じた後、前記電圧変換安定化手段に電圧を下げるように指示する
請求項６に記載の電源装置。
【請求項８】
入力電圧の電圧を変換し、安定化して出力する電圧変換安定化手段と、
前記出力の電流と装置の外部から流れ込む逆流電流とを検出する電流検出手段と、
前記出力を他の電源装置の出力とオア接続する素子とを
含む電源装置における前記素子の故障検出方法において、
前記電圧変換安定化手段を制御しながら、前記電流検出手段での電流を検出し、その検出に応じて前記素子の故障を検出する
素子故障検出方法。
【請求項９】
前記電圧変換安定化手段の電圧を下げて、
前記電流検出手段が前記逆流電流を検出したときに、
前記素子が故障と判定する
請求項８に記載の素子故障検出方法。
【請求項１０】
入力電圧の電圧を変換し、安定化して出力する電圧変換安定化手段と、
前記出力の電流と装置の外部から流れ込む逆流電流とを検出する電流検出手段と、
前記出力を他の電源装置の出力とオア接続する素子とを
含む電源装置を制御するコンピュータに、
前記電圧変換安定化手段を制御する処理と、
前記電流検出手段での電流を検出する処理と、
その検出に応じて前記素子の故障を検出する処理と
実行させるプログラム。
【発明の詳細な説明】
【技術分野】
【０００１】
本発明は、電源装置に関し、特に、電源装置の故障の検出に関する。
【背景技術】
【０００２】
情報処理システムが広く用いられるに従い、情報処理システムの信頼性の向上が求められている。
【０００３】
そこで、高信頼性を必要とする情報処理システムは、電力を供給する電源装置に冗長性を持たせるため、複数の電源装置を含むようになっている。
【０００４】
図７は、複数の電源装置を含む情報システム６の一例を示すブロック図である。
【０００５】
情報システム６は、電源装置７と、電源装置８と、負荷装置９とを含む。
【０００６】
電源装置７は、入力電圧を適切な電圧に変換して安定化する電源部７１０と、出力をオア接続するためのオアダイオード７２０とを含む。
【０００７】
電源装置８は、電源装置７と同様に、入力電圧を適切な電圧に変換して安定化する電源部８１０と、出力をオア接続するためのオアダイオード８２０とを含む。
【０００８】
電源部７１０と電源部８１０は、両者の出力電流のバランス（平衡）を取るために、電流バランス信号を相互に接続している。
【０００９】
負荷装置９は、電源装置７及び電源装置８の負荷となる装置である。負荷装置９は、負荷回路９１０と制御装置９２０とを含む。
【００１０】
負荷回路９１０は、電源装置７及び電源装置８の実際の負荷となる部分であり、オアダイオード７２０及びオアダイオード８２０に接続している。
【００１１】
制御装置９２０は、制御信号を用いて、電源部７１０と電源部８１０とを制御する。例えば、電源装置７の障害が発生した場合、制御装置９２０は、電源部７１０を制御して、電源装置７からの電力の供給を止める。
【００１２】
このように複数の電源装置を含む情報処理システムは、電源装置の障害の発生を検出して制御し、電源の安定化を確保している（例えば、特許文献１を参照）。
【００１３】
特許文献１に記載の電源システムは、電流検出回路や過電圧検出回路を備えて障害を検出する。しかし、特許文献１に記載の電源システムは、オアダイオードの故障を検出できない。
【００１４】
一方、情報システム６は、信頼性を確保するため、オアダイオード７２０及びオアダイオード８２０の故障の検出が必要である。
【００１５】
もし故障を検出できないと、負荷装置９への電源供給に問題が発生する場合がある。
【００１６】
例えば、電源装置７のオアダイオード７２０がオープン故障の場合、電源装置７は、負荷装置９に出力できない。そのため、電源装置８の電源を切ると、負荷装置９への電源供給が、止まる。
【００１７】
また、電源装置７のオアダイオード７２０が短絡故障の場合、電源装置７が故障して出力電圧が低下すると、電源装置８から電源装置７への逆流電流が、発生する。
【００１８】
そこで、オアダイオードの故障検出する電源システムが、用いられている（例えば、特許文献２及び特許文献３を参照。）
【先行技術文献】
【特許文献】
【００１９】
【特許文献１】特開２００３−０５２１６７
【特許文献２】特開平０３−１０３０４４
【特許文献３】特開２００９−１８９１２６
【発明の概要】
【発明が解決しようとする課題】
【００２０】
特許文献２に記載された電源システムは、電源装置にオアダイオードの両端の電位差を検出するための電位差検出手段を用いる。この電位差検出手段は、オアダイオードの出力側にも接続が必要である。オアダイオードの出力側は、電源装置の出力であり、複数の電源装置とオア接続している。そのため、電位差検出手段は、オア接続する他の電源装置及び負荷に影響を与えないような回路構成が必要である。そのため、電位差検出手段は、簡単な素子や回路で構成できず、ある程度の回路量を必要とする。そのため、特許文献２に記載の電源システムは、コストが高くなるという問題点があった。
【００２１】
特許文献３に記載の電源システムは、電源装置に大きな回路の追加を必要としない。しかし、特許文献３に記載の電源システムは、マージンの範囲内ではあるが、高い電圧を負荷に加える必要があり、故障検出中のマージンが少なくなるという問題点があった。また、特許文献３に記載の電源システムは、電圧変換安定化回路が電圧を変更できなくなった場合に、オアダイオードの不良を検出できないという問題点があった。
【００２２】
本発明の目的は、上記問題点を解決し、オアダイオードの出力側の信号を用いることなく、また、負荷への出力電圧を高くせずに、簡単な構成でオアダイオードの故障を検出する電源装置、及び、素子故障検出方法を提供することにある。
【課題を解決するための手段】
【００２３】
本発明の電源装置は、入力電圧の電圧を変換し、安定化して出力する電圧変換安定化手段と、前記出力の電流と装置の外部から流れ込む逆流電流とを検出する電流検出手段と、前記出力を他の電源装置の出力とオア接続する素子と、前記電圧変換安定化手段を制御しながら、前記電流検出手段での電流を検出し、その検出に応じて前記素子の故障を検出する制御部とを含む。
【００２４】
本発明の素子故障検出方法は、入力電圧の電圧を変換し、安定化して出力する電圧変換安定化手段と、前記出力の電流と装置の外部から流れ込む逆流電流とを検出する電流検出手段と、前記出力を他の電源装置の出力とオア接続する素子とを含む電源装置における前記素子の故障検出方法において、前記電圧変換安定化手段を制御しながら、前記電流検出手段での電流を検出し、その検出に応じて前記素子の故障を検出する。
【００２５】
本発明のプログラムは、入力電圧の電圧を変換し、安定化して出力する電圧変換安定化手段と、前記出力の電流と装置の外部から流れ込む逆流電流とを検出する電流検出手段と、前記出力を他の電源装置の出力とオア接続する素子とを含む電源装置を制御するコンピュータに、前記電圧変換安定化手段を制御する処理と、前記電流検出手段での電流を検出する処理と、その検出に応じて前記素子の故障を検出する処理と実行させる。
【発明の効果】
【００２６】
本発明によれば、オアダイオードの出力側の信号を用いることなく、また、負荷への出力電圧を高くせずに、簡単な構成でオアダイオードの故障を検出できる。
【図面の簡単な説明】
【００２７】
【図１】図１は、本発明における第１の実施形態に係る電源装置の構成の一例を示すブロック図である。
【図２】図２は、第１の実施形態に係る電源装置の診断時の構成の状態の一例を示すブロック図である。
【図３】図３は、第１の実施形態に係る電圧及び電流を説明するための図である。
【図４】図４は、第１の実施形態に係る電圧及び電流を説明するための図である。
【図５】図５は、制御部の構成の一例を示すブロック図である。
【図６】図６は、第２の実施形態に係る電源装置の構成の一例を示すブロック図である。
【図７】図７は、一般的な複数の電源装置を組み込んだシステムの一例を示すブロック図である。
【発明を実施するための形態】
【００２８】
次に、本発明の実施形態について図面を参照して説明する。
【００２９】
なお、各図面は、本発明の実施形態を説明するものである。そのため、本発明は、各図面の記載に限られるわけではない。また、各図面の同様の構成には、同じ番号を付し、その繰り返しの説明は、省略する場合がある。
【００３０】
（第１の実施形態）
まず、本発明における第１の実施形態の電源装置１の構成について説明する。
【００３１】
図１は、第１の実施形態における電源装置１の構成の一例を示すブロック図である。
【００３２】
電源装置１は、電源部１０と、オアダイオード８０とを含む。
【００３３】
電源部１０は、電源装置１に接続する負荷に電力（例えば、所定の電圧）を供給する。
【００３４】
オアダイオード８０は、電源部１０の出力のオア接続を実現する素子である。
【００３５】
なお、本実施形態の説明では、オアダイオード８０を用いて説明するが、本実施形態のオア接続は、ダイオードに限る必要はない。例えば、本実施形態の電源装置１は、オア接続できる電界効果トランジスタ（ＦＥＴ：Field Effect Transistor）を用いても良い。オアＦＥＴを用いる場合、以下の説明のオアダイオード８０をオアＦＥＴに置き換えればよい。
【００３６】
さらに、本実施形態の電源部１０は、制御部２０と、電圧変換安定化部３０と、電流検出部４０と、第１のスイッチ５０と、第２のスイッチ６０と、保護抵抗７０とを含む。
【００３７】
制御部２０は、通常の電源部１０の制御に加え、本実施形態のオアダイオード８０の故障検出のために各部を制御する。なお、電源装置１が図７に示すような電源システムに組み込まれた場合、制御部２０は、外部からの制御信号に基づいて動作しても良い。
【００３８】
電圧変換安定化部３０は、所定の入力電圧の供給を受け、その入力電圧を安定化した所定の電圧に変換し、出力する。さらに、電圧変換安定化部３０は、制御部２０の指示を基に、出力する電圧を変更する。
【００３９】
電流検出部４０は、電圧変換安定化部３０の出力、つまり電源装置１の出力の電流を検出し、制御部２０に通知する。さらに、後ほど説明するように、本実施形態の電流検出部４０は、オアダイオード８０が故障した場合の逆流電流を検出し、制御部２０に通知する。
【００４０】
第１のスイッチ５０は、制御部２０の指示を基に、電源装置１が他の電源装置との電流のバランスを取るための電流バランス信号を電圧変換安定化部３０に入力するか否かを切り換える。
【００４１】
第２のスイッチ６０は、制御部２０の指示を基に、電圧変換安定化部３０と電流検出部４０との間の接続線を、保護抵抗７０に接続するか否かを切り換える。
【００４２】
保護抵抗７０は、電流検出部４０に流れ込んだ逆流電流を接地線（グランド）に逃がす抵抗である。
【００４３】
次に、電源装置１の動作について説明する。
【００４４】
まず、通常の電源供給時について説明する。
【００４５】
通常の電源供給の場合、電源装置１の制御部２０は、図１に示すように、第１のスイッチ５０を「閉（接続する状態）」とし、第２のスイッチ６０を「開（接続しない状態）」とする。
【００４６】
この状態では、電圧変換安定化部３０は、電流バランス信号と、電流検出部４０の出力との差と、制御部２０からの指示（指示電圧）とを基に、安定化した電圧を出力する。
【００４７】
電流検出部４０は、電圧変換安定化部３０の出力の電流を検出し、電流の異常を検出すると、制御部２０に通知する。
【００４８】
例えば、オアダイオード８０がオープン故障となった場合、電流は流れない。その場合、電流検出部４０は、電流が流れない（電流値が「０」）ことを制御部２０に通知する。
【００４９】
また、電流検出部４０は、所定の電流の上限値（閾値）を保持し、電流が上限値を超えた場合に、制御部２０に通知する。
【００５０】
制御部２０は、電源部１０の各部の動作を制御する。例えば、制御部２０は、電圧変換安定化部３０への電圧を指示する。また、制御部２０は、電圧変換安定化部３０に指示した電圧と、電流検出部４０からの通知とを基に、電源装置１の故障を判定する。そして、制御部２０は、故障と判断した場合、電源装置１の動作を止めるなど、所定の動作を実施する。
【００５１】
次に、電源装置１のオアダイオード８０の故障診断の動作について、説明する。
【００５２】
オアダイオード８０のオープン故障の場合、既に説明したとおり、制御部２０は、図１に示す通常の状態における電流検出部４０の検出した電流値を基に判断できる。具体的には、電圧変換安定化部３０が出力しているにもかかわらず、電流検出部４０が電流を検出しない場合、制御部２０は、オアダイオード８０がオープン故障と判断できる。
【００５３】
一方、制御部２０は、オアダイオード８０の短絡故障を、図１に示す状態では検出できない。
【００５４】
本実施形態の電源装置１は、短絡故障を検出するために、第１のスイッチ５０と第２のスイッチ６０と保護抵抗７０とを用いる。
【００５５】
オアダイオード８０の短絡故障の検出について、図２を参照して説明する。
【００５６】
図２は、短絡故障診断時の電源装置１の状態の一例を示すブロック図である。
【００５７】
制御部２０は、第１のスイッチ５０を「開」とし、第２のスイッチ６０を「閉」とする。
【００５８】
その結果、電圧変換安定化部３０は、電流バランス信号を受けなくなる。そのため、電圧変換安定化部３０は、他の電源装置の出力に関係せず、制御部２０の指示された電圧を出力する。
【００５９】
そして、制御部２０は、電圧変換安定化部３０に指示し、出力電圧を所定に値に下げていく。
【００６０】
電圧変換安定化部３０が出力電圧を下げると、電源装置１の出力電流は、少なくなる。つまり、電流検出部４０は、電流の減少を検出する。
【００６１】
なお、ここで、電流検出部４０が電流の減少を検出しない場合、制御部２０は、電圧変換安定化部３０が制御できないこと、つまり電圧変換安定化部３０の故障を検出できる。この場合、制御部２０は、オアダイオード８０の短絡故障の検出を終了し、電圧変換安定化部３０の故障時の処理を実行する。
【００６２】
電流が減少している場合、制御部２０は、故障診断を継続する。
【００６３】
電圧変換安定化部３０の出力電圧が所定の値まで下がると、出力電流は、「０」となる。その結果、電流検出部４０は、電流を検出しなくなる。
【００６４】
さらに、制御部２０は、電圧変換安定化部３０に出力電圧を所定の値まで下げるように指示する。
【００６５】
オアダイオード８０が短絡していない場合、電圧変換安定化部３０がさらに電圧を下げても、オアダイオード８０は、電流の流れ込みを止める。そのため、電流検出部４０が検出する電流は、「０」のままとなる。つまり、電流検出部４０は、電流を検出しない。
【００６６】
そのため、電圧変換安定化部３０が所定の値まで電圧を下げても電流が「０」の場合、制御部２０は、オアダイオード８０が短絡していないと判断し、診断を終了する。なお、電圧変換安定化部３０に指示する電圧は、予め、オアダイオード８０の仕様とマージンを考慮して、決定しておけばよい。
【００６７】
診断終了後、制御部２０は、電圧変換安定化部３０に電圧を戻すように指示する。
【００６８】
一方、オアダイオード８０が短絡している場合、電圧変換安定化部３０が電圧を下げると、逆流電流が、電流検出部４０に流れ込む。電流検出部４０は、逆流電流を検出すると、制御部２０に通知する。
【００６９】
通知を受けた制御部２０は、オアダイオード８０が短絡故障と判断し、電源装置１を止めるなど所定の処理を実施する。
【００７０】
なお、電流検出部４０に流れ込んだ逆流電流は、第２のスイッチ６０を経由して保護抵抗７０に流れ込んで消費される。そのため、本実施形態の電源装置１は、電圧変換安定化部３０に逆流電流が流れ込むことがない。
【００７１】
なお、保護抵抗７０は、想定される逆流電流と電圧変換安定化部３０からの出力とを考慮して選定されることが望ましい。
【００７２】
これまで説明した電圧及び電流の変化について、図面を参照して説明する。
【００７３】
図３は、オアダイオード８０が短絡していない場合の電圧及び電流の変化を示す図である。図３は、短絡故障を検出する電源装置１及びオア接続する他の電源装置の電圧及び電流を示している。
【００７４】
制御部２０は、通常状態から診断状態に第１のスイッチ５０及び第２のスイッチ６０を切り換える（１）。
【００７５】
切り換え後、制御部２０は、電圧変換安定化部３０に指示して、電圧を下げる（２）。電圧の低下に伴い、電源装置１の電流は、減少する。
【００７６】
一方、他の電源装置の電流は増加するが、電圧は一定である。つまり、負荷に加わる電圧は、一定である。
【００７７】
電圧変換安定化部３０の出力電圧が所定の電圧になると、電流は「０」となる（３）。
【００７８】
電流の「０」となった後、電圧変換安定化部３０が所定の電圧まで出力電圧を下げても、電流は「０」のままとなる（４）。なお、他の電源装置の出力電流は、一定のままである。
【００７９】
制御部２０は、オアダイオード８０が短絡故障をしていないと判定し、電圧変換安定化部３０に電圧を戻すように指示する（５）。
【００８０】
元の電圧に戻ると、制御部２０は、第１のスイッチ５０と第２のスイッチ６０を戻し、通常状態とする（６）。
【００８１】
図４は、オアダイオード８０が短絡していた場合の電圧及び電流の変化を示す図である。図４は、図３と同様に、短絡故障を検出する電源装置１及びオア接続する他の電源装置の電圧及び電流を示している。
【００８２】
制御部２０は、通常状態から診断状態に第１のスイッチ５０及び第２のスイッチ６０を切り換える（１）。
【００８３】
切り換え後、制御部２０は、電圧変換安定化部３０に指示して、電圧を下げる（２）。電圧の低下に伴い、電源装置１の電流が減少する。
【００８４】
一方、他の電源装置の電流は増加するが、電圧は一定である。つまり、負荷に加わる電圧は、一定である。
【００８５】
電圧変換安定化部３０の出力電圧が所定の電圧になると、電流は「０」となる（３）。
【００８６】
さらに、電圧変換安定化部３０が所定の電圧まで出力電圧を下げると、逆流電流が発生するため、電流はマイナスとなる（４）。なお、他の電源装置の出力電流は、逆流電流に相当する量が増加となる。
【００８７】
制御部２０は、電流検出部４０からの逆流電流の通知を基に、オアダイオード８０が短絡故障をしていると判定する。
【００８８】
そして、制御部２０は、電圧変換安定化部３０に電圧を戻すように指示する（５）。
【００８９】
元の電圧に戻ると、制御部２０は、第１のスイッチ５０と第２のスイッチ６０を戻し、通常状態とする（６）。そして、制御部２０は、オアダイオード８０の故障に対応した処理を実施する。
【００９０】
このように本実施形態の電源装置１は、オアダイオード８０の出力側の信号を用いることなく、また、負荷への出力電圧を高くせずに、簡単な構成でオアダイオード８０の故障を検出する。
【００９１】
その理由は、次のとおりである。
【００９２】
本実施形態の電源装置１は、第１のスイッチ５０と第２のスイッチ６０と保護抵抗７０との簡単な素子を含む。
【００９３】
電源装置１は、第１のスイッチ５０を用いて、電源バランス信号を止める。そのため、電圧変換安定化部３０は、制御部２０の指示に基づいて出力電圧を下げることができる。
【００９４】
そして、制御部２０は、電圧変換安定化部３０の出力電圧に応じた電流検出部４０の検出を基に、オアダイオード８０の良否を判定できる。
【００９５】
また、保護抵抗７０は、電流検出部４０が検出に用いる逆流電流を接地線に逃がし、電圧変換安定化部３０を保護する。
【００９６】
さらに、本実施形態の電源装置１は、出力電圧を上げない。そのため、負荷への出力電圧は、高くなることがない。
【００９７】
また、本実施形態の電源装置１が出力電圧を下げても、他の電源装置が電圧を確保するため、負荷への出力電圧は、一定となる。
【００９８】
なお、電源装置１は、図１に示すように、第２のスイッチ６０を用いて、通常の電圧出力時に保護抵抗７０を切り離している。そのため、電源装置１は、通常時において、保護抵抗７０での、電圧変換安定化部３０の出力の消費を防ぐことができる。
【００９９】
また、本実施形態の電源装置１は、電圧変換安定化部３０の障害を検出できる。
【０１００】
その理由は、電源装置１の制御部２０は、電圧変換安定化部３０に電圧を下げる指示後、電流検出部４０の検出する電流が変化しない場合、電圧変換安定化部３０が障害と判定できるためである。
【０１０１】
＜変形例＞
制御部２０は、論理回路で構成してもよいが、ＣＰＵ（Central Processing Unit）と、ＲＯＭ（Read Only Memory）と、ＲＡＭ（Random Access Memory）と、インターフェースカード（Interface Card、以下「ＩＦ」と言う）とを含むコンピュータとして実現しても良い。
【０１０２】
図５は、ＣＰＵを用いた本実施形態の制御部２１を構成の一例を示す図である。
【０１０３】
制御部２１は、ＣＰＵ２１０と、ＲＯＭ２２０と、ＲＡＭ２３０と、内部記憶装置２４０と、ＩＦ２５０とを含み、コンピュータを構成している。
【０１０４】
ＣＰＵ２１０は、ＲＯＭ２２０又は内部記憶装置２４０からプログラムを読み込む。そして、ＣＰＵ２１０は、読み込んだプログラムに基づいて、図１乃至図４を用いて説明した制御部２０としての各機能を実現する。ＣＰＵ２１０は、各機能を実現する際に、ＲＡＭ２３０及び内部記憶装置２４０を一時記憶として使用する。また、ＣＰＵ２１０は、ＩＦ２５０を介して、他の構成と接続する。
【０１０５】
なお、ＣＰＵ２１０は、コンピュータで読み取り可能にプログラムを記憶した記憶媒体２９０が含むプログラムを、図示しない記憶媒体読み取り装置を用いて読み込んでも良い。あるいは、ＣＰＵ２１０は、図示しないネットワークを介して、外部の装置からプログラムを受け取っても良い。
【０１０６】
ＲＯＭ２２０は、ＣＰＵ２１０が実行するプログラム、及び、固定的なデータを記憶する。ＲＯＭ２２０は、例えば、Ｐ−ＲＯＭ(Programmable-ROM）やフラッシュＲＯＭである。
【０１０７】
ＲＡＭ２３０は、ＣＰＵ２１０が実行するプログラムやデータを一時的に記憶する。ＲＡＭ２３０は、例えば、Ｄ−ＲＡＭ（Dynamic-RAM）である。
【０１０８】
内部記憶装置２４０は、制御部２１の長期的に保存するデータやプログラムを保存する。また、内部記憶装置２４０は、ＣＰＵ２１０の一時記憶装置として動作しても良い。内部記憶装置２４０は、例えば、ハードディスク装置、光磁気ディスク装置、ＳＳＤ（Solid State Drive）、又は、ディスクアレイ装置である。
【０１０９】
ＩＦ２５０は、制御部２１と、電源装置１の他の構成との接続を仲介する。ＩＦ２５０は、例えば、ＩＯ（Input/Output）インターフェースカードである。
【０１１０】
このように構成された制御部２１を含む電源装置１は、制御部２０を含む電源装置１と同様の効果を得ることができる。
【０１１１】
その理由は、制御部２１のＣＰＵ２１０が、プログラムに基づいて制御部２０と同様の動作を実現できるためである。
【０１１２】
（第２の実施形態）
なお、本実施形態の電源装置１の構成は、これまでの説明に限られない。
【０１１３】
例えば、電圧変換安定化部３０が、保護回路を備えていても良い。この場合、電源装置１は、第２のスイッチ６０及び保護抵抗７０を含まなくても良い。
【０１１４】
また、多くの電源装置１を含むシステムに組み込まれた電源装置１は、他の電源装置との電流バランスを取る必要がない場合もある。その場合、電源装置１は、電流バランス信号の入力や第１のスイッチ５０を含まなくても良い。
【０１１５】
そこで、本発明の電源装置１の最小構成を、第２の実施形態として説明する。
【０１１６】
図６は、第２の実施形態の電源装置２の構成の一例を示すブロック図である。
【０１１７】
第２の実施形態に係る電源装置２は、電源部１１と、オアダイオード８０とを含む。
【０１１８】
オアダイオード８０は、第１の実施形態と同様のため、詳細な説明を省略する。
【０１１９】
電源部１１は、制御部２２と、電圧変換安定化部３１と、電流検出部４０とを含む。
【０１２０】
電圧変換安定化部３１は、第１の実施形態の電圧変換安定化部３０と同様の機能に加え、電流検出部４０から逆流電流が入ってきた場合の保護回路を含む。例えば、電圧変換安定化部３１は、保護抵抗７０と同様な働きをする保護回路を含めばよい。
【０１２１】
電流検出部４０は、第１の実施形態の電流検出部４０と同様のため、詳細な説明を省略する。
【０１２２】
制御部２２は、第１の実施形態の制御部２０において、第１のスイッチ５０及び第２のスイッチ６０の制御を除いた機能を実現する。
【０１２３】
制御部２２の動作を説明すると次のとおりとなる。
【０１２４】
まず、制御部２２は、電圧変換安定化部３１が通常の電圧を出力しているときに、電流検出部４０が電流量として「０」を検出した場合、オアダイオード８０のオープン故障を検出する。
【０１２５】
また、制御部２２は、電圧変換安定化部３１の電圧を所定の値に下げたときに、電流検出部４０が逆流電流を検出するか否か基に、オアダイオード８０の短絡故障を判定する。
【０１２６】
このように構成された第２の実施形態の電源装置２は、オアダイオード８０の出力側の信号を用いることなく、また、負荷への出力電圧を高くせずに、簡単な構成でオアダイオード８０の故障を検出できる。
【０１２７】
その理由は、制御部２２が、電圧変換安定化部３１を制御して所定の電圧を出力させ、そのときに電流検出部４０を基に、オアダイオード８０の故障を検出できるためである。
【０１２８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【０１２９】
１    電源装置
２    電源装置
６    情報システム
７    電源装置
８    電源装置
９    負荷装置
１０    電源部
１１    電源部
２０    制御部
２１    制御部
２２    制御部
３０    電圧変換安定化部
３１    電圧変換安定化部
４０    電流検出部
５０    第１のスイッチ
６０    第２のスイッチ
７０    保護抵抗
８０    オアダイオード
２１０    ＣＰＵ
２２０    ＲＯＭ
２３０    ＲＡＭ
２４０    内部記憶装置
２５０    ＩＦ
２９０    記憶媒体
７１０    電源部
７２０    オアダイオード
８１０    電源部
８２０    オアダイオード
９１０    負荷回路
９２０    制御装置
【図１】
2014060897.tif 000003
【図２】
2014060897.tif 000004
【図３】
2014060897.tif 000005
【図４】
2014060897.tif 000006
【図５】
2014060897.tif 000007
【図６】
2014060897.tif 000008
【図７】
2014060897.tif 000009